(57)【特許請求の範囲】
【請求項１】
ダンゴを載置する乗せ台と、前記乗せ台の端部に連結した棒状体と、棒状体を基台に連結する連結部とを少なくとも備え、前記連結部には棒状体を基台から離れる方向に付勢するばね体を設けた釣り用ダンゴ投げ装置であって、補強パイプに挿入された前記棒状体は、長さを可変にしたことを特徴とする釣り用ダンゴ投げ装置。
【請求項２】
基台には、付勢力が付与された棒状体を保持する保持手段が設けられていることを特徴とする請求項１記載の釣り用ダンゴ投げ装置。     
【請求項３】
棒状体への付勢力を調整する調整手段が設けられていることを特徴とする請求項１記載の釣り用ダンゴ投げ装置。    
【発明の詳細な説明】
【技術分野】
【０００１】
本発明は、釣りの於いて使用されるダンゴ投げ装置に関するものである。          
【背景技術】
【０００２】
例えば、紀州釣りと呼ばれる釣り方でチヌを釣る場合は、ぬか、砂、集魚剤、サナギ粉、押し麦などを使用してダンゴを作り、そのダンゴにオキアミなどの餌を付けた針を混入させて柄杓を用いて遠投していた。
【先行技術文献】
【特許文献】
【０００３】
【特許文献１】特開２００５−７３６６２号公報
【発明の概要】
【発明が解決しようとする課題】
【０００４】
例えば、紀州釣りと呼ばれる釣り方において、ダンゴを釣り人が所望するポイントへ正確に投入することが釣果に大きく影響するが、正確に遠投するには熟練の経験や体力が必要であるとともに、
肩が痛くなり連日釣りに行くことが困難であった。
【０００５】
そこで、本発明の目的は、所望するポイントへのダンゴの投入が初心者や女性にも簡単にでき、一定距離、一定方向にダンゴの投入が肩が疲れることなくできる釣り用ダンゴ投げ装置を提供することにある。
【課題を解決するための手段】
【０００６】
上記目的を達成するため、本願に係る釣り用ダンゴ投げ装置は、ダンゴを載置する乗せ台と、前記乗せ台の端部に連結した棒状体と、棒状体を基台に連結する連結部とを少なくとも備え、前記連結部には棒状体を基台から離れる方向に付勢するばね体を設けた釣り用ダンゴ投げ装置であって、補強パイプに挿入された前記棒状体は、長さを可変にしたことを特徴とするものである。
【発明の効果】
【０００７】
以上のように、本発明の釣り用ダンゴ投げ装置は、ダンゴを載置する乗せ台と、前記乗せ台の端部に連結した棒状体と、棒状体を基台に連結する連結部とを少なくとも備え、前記連結部には棒状体を基台から離れる方向に付勢するばね体を設けた釣り用ダンゴ投げ装置であって、補強パイプに挿入された前記棒状体は、長さを可変にしたことを特徴とするものであるから、所望するポイントへのダンゴの投入が初心者や女性にも簡単にでき、一定距離、一定方向にダンゴの投入が肩が疲れることなくできるという効果があり、更に、棒状体を補強パイプで補強されているので、棒状体は折れたり、変形しないという効果があり、更に、棒状体の長さを可変にしているので、ダンゴの飛距離を変えることができるという効果がある。
【図面の簡単な説明】
【０００８】
【図１】図１は、本発明の第１の実施形態に係る釣り用ダンゴ投げ装置の正面図である。
【図２】図２は、本発明の第１の実施形態に係る釣り用ダンゴ投げ装置の平面図である。
【図３】図３は、図１におけるＡ矢視図である。
【図４】図４は、図１におけるＢ矢視図である。
【発明を実施するための形態】
【実施例】
【０００９】
釣り用ダンゴ投げ装置１は、例えば、紀州釣りと呼ばれる釣り方において、ダンゴを釣り人が所望するポイントへ投入する際に使用するものであり、ダンゴDを載置する乗せ台２と、前記乗せ台２の端部２ａに連結した棒状体３と、棒状体３を基台４に連結する連結部５とを少なくとも備え、前記連結部５には棒状体３に基台４から離れる方向に付勢するばね体６が設けられている。
【００１０】
乗せ台２は、樹脂や金属で器状に形成されており、内部にダンゴ収納部７が形成されている。ダンゴ収納部７は、ダンゴが放物線を描いて遠距離飛ばすことができる形状となるよう試行錯誤の上、設計されている。
【００１１】
乗せ台２の後端部２ａに連結した棒状体３は、鉄等の金属材でできていて、金属製の補強パイプ８に挿入されて、折れないように補強されている。棒状体３は、基台４に連結部５を介して連結されている。補強パイプ８は、少なくとも保持手段１３の位置まで挿入されていることが望ましい。棒状体３は、ダンゴが放物線を描いて遠距離飛ばすことができる長さとなるよう試行錯誤の上、設計されているが、長さを可変にして飛距離を変えることができるようにしても構わない。
【００１２】
基台４は、木質の板材でできており、ダンゴDを飛ばす際に移動しないよう所定の重さに設定されているが、基台４を固定するようにすれば軽量化が図れるものである。
基台４を固定する方法は、基台４に別体のプレートを取付け、そのプレート上に椅子を置き、釣り人の体重で動かないようにすることが考えられる。
【００１３】
連結部５は、棒状体３を基台４から離れる方向に付勢するばね体６が設けられている。ばね体６は、コイルバネが望ましいが、ぜんまいバネ、ねじりバネのようなものでも構わない。ばね体６は、ダンゴが放物線を描いて遠距離飛ばすことができるばね常数となるよう試行錯誤の上、設計されている。ばね体６の一端６ａは、棒状体３に挿入されており、ばね体６の他端６ｂはＵ字状に曲げられており、対となったばね固定金具９間にねじ１０により固定されている。ばね固定金具９は補強部１１がそれぞれ一体的に形成されており、ばね固定金具９の下端は基台４に固定ねじ１２により固定されている。
【００１４】
基台４から離れる方向にばね体６により付勢された棒状体３を保持する保持手段１３が基台４に設けられている。保持手段１３は、基台４に固定ねじ１２により固定される対となった保持金具１４と、保持金具１４間に揺動自在に軸１５を介して支持された連結部１６と、連結部１６とで棒状体３を保持する保持部１７を備えた起動レバー１８とから構成されている。連結部１６は、六角長ナットからなるねじ部１９が設けられており、長さが可変自在になっていて、棒状体３に基台４から離れる方向に付勢する付勢力を変えることができるようになっている。
【００１５】
基台４から離れる方向にばね体６により付勢された棒状体３を保持する安全装置２０が基台４に設けられている。安全装置２０は、対となった支柱２１と支柱２１間に架設されるストッパー２２とより構成されており、支柱２１間に入れられた棒状体３はストッパー２２にて不用意に動作しないようになっている。また、起動レバー１８を操作する際、棒状体３が起動レバー１８により引っ張られてもそれを支柱２１で阻止するようになっている。
【００１６】
本発明の第１の実施形態に係る釣り用ダンゴ投げ装置は、保持手段１３にて棒状体３を保持するとともに、乗せ台２にダンゴを乗せた状態で保持手段１３の起動レバー１８を操作することで、起動レバー１８の保持部１７から棒状体３を解放して棒状体３を基台４から離れる方向に回転させて乗せ台２に乗せたダンゴを飛ばすことができるのである。乗せ台２の重量、ダンゴの重量、棒状体３の長さ、バネ体のバネ常数を一定にすることにより、ほぼ同じ位置にダンゴを飛ばすことができるのであり、これらを適宜変えることのより、同一方向における飛距離を変えることができるのであり、所望するポイントへのダンゴの投入が初心者や女性にも簡単にでき、更には、一定距離、一定方向にダンゴの投入が肩が疲れることなくできる。
【００１７】
本発明の第１の実施形態に係る釣り用ダンゴ投げ装置は、以上のようなものであるが、棒状体３を着脱自在にしたり、保持手段１３及び安全装置２０を起倒自在に基台４に取り付けることにより、コンパクトにしてザックに入るようにしても構わない。また、基台４の４隅にアジャスターボルト２３を取り付ける等して、凹凸のある岩場でも基台４を水平にして使用できるようにしても構わない。基台４にアジャスターボルト２３を取り付けることで基台４の角度を変えて飛距離を変えるようにしても構わないものである。アジャスターボルト２３は、ばね体６が強いとダンゴが高く上がるので前を下げるように調整し、ダンゴの落下位置を近くにしたい場合は、前を上げることにより近くに落下させることができるものである。
【符号の説明】
【００１８】
１    釣り用ダンゴ投げ装置
２    乗せ台
３    棒状体
４    基台
５    連結部
６    ばね体
【要約】      （修正有）【課題】紀州釣りにおいて、ダンゴを釣り人が熟練の経験や体力を必要することなく所望するポイントへ正確に投入することが可能である釣り用ダンゴ投げ装置の提供。【解決手段】この釣り用ダンゴ投げ装置１は、ダンゴを載置する乗せ台２と、乗せ台２の端部２ａに連結した棒状体３と、棒状体３を基台４に連結する連結部５とを少なくとも備え、連結部５には棒状体３に基台４から離れる方向に付勢するばね体６を設けており、所望するポイントへのダンゴの投入が初心者や女性にも簡単にでき、一定距離、一定方向にダンゴの投入が肩が疲れることなくできる。【選択図】図１【図１】
0004761235.tif 000002
【図２】
0004761235.tif 000003
【図３】
0004761235.tif 000004
【図４】
0004761235.tif 000005